(57)【要約】  文字属性判定部（１）は文字属性データベース（２）に基づいて文字の属性を判定する。ぼかし強度決定部（５）は、可読性制御知識（３）に基づいて文字属性毎のぼかし強度を取得し、対象とする文字の、文字属性判定部（１）で判定された文字属性に応じたぼかし強度を決定する。ぼかし処理実行部（６）は、ぼかし強度決定部（５）で決定したぼかし強度で文字のぼかし処理を実行する。
2015004725.tif 000002
【特許請求の範囲】
【請求項１】
表示部に表示させる文字にぼかし処理を行う可読性制御部を備え、  前記可読性制御部は、文字の属性に応じて、前記文字のぼかし強度を変えることを特徴とする情報提示装置。
【請求項２】
文字の属性を判定する文字属性判定部と、  文字属性ごとにぼかし強度を定義する可読性制御知識と、  対象とする文字に対して、当該文字の前記文字属性判定部が判定した文字属性と、前記可読性制御知識から文字属性ごとのぼかし強度を取得し、前記対象とする文字の文字属性に対応したぼかし強度でぼかし処理を行う可読性制御部と、  前記可読性制御部によるぼかし処理の文字を表示する表示部とを備えた情報提示装置。
【請求項３】
前記可読性制御部は、文字の種類、画数および文字密度のうち少なくとも一つの文字属性に応じたぼかし強度でぼかし処理を行うことを特徴とする請求項１記載の情報提示装置。
【請求項４】
ぼかし強度または前記文字属性に応じたぼかし処理を定義するぼかし処理制御知識を備え、  前記可読性制御部は、前記ぼかし処理制御知識を用いて、前記ぼかし強度または前記文字属性に対応したぼかし制御処理を行うことを特徴とする請求項１記載の情報提示装置。
【請求項５】
前記可読性制御部は、車両の走行時にのみ前記ぼかし処理を行い、停止時は前記ぼかし処理を行わないことを特徴とする請求項１記載の情報提示装置。
【請求項６】
前記可読性制御部は、車両の走行速度が大きくなるにつれて、前記ぼかし処理の対象となる文字を増加させることを特徴とする請求項５記載の情報提示装置。
【発明の詳細な説明】
【技術分野】
【０００１】  本発明は、主として車両に設置され、車両のユーザに対して情報を提示する情報提示装置に関する。
【背景技術】
【０００２】  カーナビゲーションといった車両に設置される情報提示装置において、従来、操作性と安全性との兼ね合いを考慮して、走行中に表示される文字の情報量を減らすようにしたものがあった。  このような装置として、例えば特許文献１に記載されたものでは、走行中に運転者に文字を読ませることが危険であるため、車両の走行状況に応じて「提示可能情報量」を定め、情報量がこれを超えた場合は優先度の低い提示情報（絵や文字）を非表示にしたり、文字をぼかしたり、文字部分を「■」に置き換えて表示していた。【０００３】  また、特許文献２に記載された装置では、車両の走行中であっても運転者にとっての安全性を確保しながら一定の操作を可能にすることを目的として、リスト画面を注視する時間を短くするために、カーソル表示された項目のみ文字列を表示し、その他の項目を非表示にするといった制御を行っていた。
【先行技術文献】
【特許文献】
【０００４】
【特許文献１】特開２００５−３３１５０１号公報
【特許文献２】特開２００６−３１５５９７号公報
【発明の概要】
【発明が解決しようとする課題】
【０００５】  しかしながら、上記特許文献１に記載されたように、文字の情報量を減らすために文字を非表示にしたり、■に置き換えたりした場合は、画面のデザインが崩れてしまい、表示画面の質感が損なわれてしまうという問題があった。また、どのような文字が表示されていたかが全く分からなくなってしまうため、使い勝手が悪いという問題もあった。さらに、文字を単純にぼかした場合は、文字種（ひらがな、カタカナ、英数字、漢字）や文字密度（画数など）によっては、ぼかした文字が細く薄くなってしまったり、固まりとしてぼけて文字が潰れてしまったり、といったようにぼけ方にばらつきが出てしまうため、ぼかした状態の表示に統一性がないという問題があった。【０００６】  また、特許文献２に記載されているように、リストのカーソル表示の項目の文字のみを表示し、カーソル表示されていない項目の文字を非表示とした場合、カーソルを移動させると全ての項目の文字列を読むことができるため、逆に、カーソルの移動操作を誘引することにもなり、運転時の操作性に関して安全に問題があった。【０００７】  この発明は、かかる問題を解決するためになされたもので、統一感のある高品質な表示を行うことができると共に、操作時の安全性を高めることのできる情報提示装置を得ることを目的とする。
【課題を解決するための手段】
【０００８】  この発明の情報提示装置は、表示部に表示させる文字にぼかし処理を行う可読性制御部を備え、可読性制御部は、文字の属性に応じて、前記文字のぼかし強度を変えるようにしたものである。
【発明の効果】
【０００９】  この発明に係る情報提示装置は、文字の文字属性に対応したぼかし強度でぼかし処理を行うようにしたものである。これにより、統一感のある高品質な表示を行うことができると共に、操作時の安全性を高めることができる。
【図面の簡単な説明】
【００１０】
【図１】この発明の実施の形態１の情報提示装置を示す構成図である。
【図２】この発明の実施の形態１の情報提示装置の動作を示すフローチャートである。
【図３】この発明の実施の形態１の情報提示装置における文字属性データベースの説明図である。
【図４】この発明の実施の形態１の情報提示装置における文字属性判定結果を示す説明図である。
【図５】この発明の実施の形態１の情報提示装置における可読性制御知識の一例（可読性制御知識３ａ）を示す説明図である。
【図６】この発明の実施の形態１の情報提示装置における可読性制御知識の一例（可読性制御知識３ｂ）を示す説明図である。
【図７】この発明の実施の形態１の情報提示装置における可読性制御知識の一例（可読性制御知識３ｃ）を示す説明図である。
【図８】この発明の実施の形態１の情報提示装置における可読性制御知識の一例（可読性制御知識３ｄ）を示す説明図である。
【図９】この発明の実施の形態１の情報提示装置における具体的な表示例を示す説明図である。
【図１０】この発明の実施の形態２の情報提示装置を示す構成図である。
【図１１】この発明の実施の形態２の情報提示装置の動作を示すフローチャートである。
【図１２】この発明の実施の形態２の情報提示装置におけるぼかし処理制御知識の一例（ぼかし処理制御知識９ａ）を示す説明図である。
【図１３】この発明の実施の形態２の情報提示装置におけるぼかし処理制御知識の一例（ぼかし処理制御知識９ｂ）を示す説明図である。
【図１４】この発明の実施の形態２の情報提示装置におけるぼかし処理制御知識の一例（ぼかし処理制御知識９ｃ）を示す説明図である。
【図１５】この発明の実施の形態２の情報提示装置における具体的な表示例を示す説明図である。
【図１６】この発明の実施の形態１と実施の形態２の情報提示装置におけるぼかし処理の関係の一例を示す説明図である。
【図１７】この発明の実施の形態１、２の情報提示装置におけるシンボル付き文字の例を示す説明図である。
【図１８】この発明の実施の形態３の情報提示装置を示す構成図である。
【図１９】この発明の実施の形態３の情報提示装置の動作を示すフローチャートである。
【図２０】この発明の実施の形態３の情報提示装置における車速対応のぼかし処理を示す説明図である。
【発明を実施するための形態】
【００１１】  以下、この発明をより詳細に説明するために、この発明を実施するための形態について、添付の図面に従って説明する。実施の形態１．  図１は、本実施の形態による情報提示装置の構成図である。  図示のように、情報提示装置は、文字属性判定部１、文字属性データベース（文字属性ＤＢ）２、可読性制御知識３、可読性制御部４、表示部７を備えている。文字属性判定部１は、画面表示する文字を入力し、文字属性データベース２から文字の種別（ひらがな、カタカナ、英数字、漢字）や画数や文字密度などを取得し、入力した文字の文字属性を判定し、可読性制御部４へ出力する処理部である。文字属性データベース２は、文字毎の文字種や画数および文字密度といった文字属性を示すデータベースであり、これについては図３を用いて後述する。可読性制御知識３は、文字属性毎のぼかし強度（ぼかす度合い）を定義するための制御知識であり、可読性制御知識３についても図５〜図８を用いて後述する。可読性制御部４は、文字属性判定部１が判定した文字属性に従って、可読性制御知識３からぼかし強度を取得し、文字の可読性を制御する制御部であり、ぼかし強度決定部５とぼかし処理実行部６を備えている。ぼかし強度決定部５は、文字属性判定部１が判定した文字属性に従って、可読性制御知識３を利用して文字のぼかし強度を決定するものであり、ぼかし処理実行部６は、ぼかし強度決定部５が決定した文字のぼかし強度に従って、文字のぼかし処理を行うものである。表示部７は、表示画面を有する表示装置とその表示制御部からなり、可読性制御部４が処理したぼかし文字を画面表示するものである。
【００１２】  次に、実施の形態１における情報提示装置の動作について説明する。  図２は、実施の形態１の動作を示すフローチャートである。  情報提示装置に文字が入力されると（ステップＳＴ１００）、文字属性判定部１は、入力した文字に合わせて文字属性データベース２を参照して文字属性を判定し、文字属性判定結果を出力する（ステップＳＴ１１０）。文字属性データベース２には、例えば図３に示すように、文字毎の文字属性として、文字種と画数と文字密度の値が格納されている。文字種は、例えば、ひらがなやカタカナ、英数字や漢字、アルファベットの大文字や小文字といった文字の種類を示す属性であり、画数とは、それぞれの文字の画数である。さらに、文字密度とは、文字を囲む領域中に占める実際の文字部分の割合といった値であり、一般的には画数の多いほどその値も大きくなる。なお、これらの文字属性の値は予め作成しておくものとする。図４は文字属性判定結果の一例であり、ここでは文字列として「横浜こどもセンターＫＩＤＳ３」の場合を示している。
【００１３】  文字属性判定部１から文字属性判定結果が出力されると、可読性制御部４のぼかし強度決定部５は、可読性制御知識３に従ってぼかし強度を決定し、ぼかし強度を示す値を出力する（ステップＳＴ１２０）。可読性制御知識３の例としては、例えば、図５の可読性制御知識３ａに示すように、文字種に対してぼかし強度が決められている。また、図６の可読性制御知識３ｂに示すように、文字種には関係なく、画数に従ってぼかし強度を決めてもよい。さらに、図７の可読性制御知識３ｃに示すように、文字種や画数は関係なく、文字密度に従ってぼかし強度を決めてもよい。これにより扱う文字としてテキスト文字だけではなく、画像化された文字（ビットマップ文字）でもぼかし強度を決めることができる。
【００１４】  また、これら図５〜図７に示した可読性制御知識３ａ〜３ｃを組み合わせて使用する構成でもよく、この場合に優先順位を付けてもよい。例えば、図８に示す可読性制御知識３ｄのように、図５に示した可読性制御知識３ａと図６に示した可読性制御知識３ｂとを組み合わせ、ひらがな、カタカナ、英数字は文字種を考慮してぼかし強度を決め、漢字のみ画数を考慮してぼかし強度を決めてもよい。また、英数字について、画数、文字密度に応じてぼかし強度を決めてもよい。また、アルファベットについて、大文字か小文字か等に応じてぼかし強度を決めてもよい。さらに、文字の大きさに応じてぼかし強度を決めてもよい。これ以外でも可読性制御知識３としてはどのようなものであってもよい。
【００１５】  ぼかし強度決定部５でぼかし強度が決定されると、ぼかし処理実行部６は、そのぼかし強度に従ってぼかし処理を行う（ステップＳＴ１３０）。このぼかし処理としては、例えばガウス関数を用いたぼかし処理を用いる。なお、このぼかし処理としてもガウス関数を用いたぼかしフィルタといったものだけでなく、どのようなものであってもよい。
【００１６】  可読性制御部４でぼかし処理が行われると、表示部７はぼかした文字を表示する（ステップＳＴ１４０）。
【００１７】  図９は、具体的な表示例を示す説明図である。  図９中、（ａ）はぼかし無し（通常表示）の状態を示すもので、文字の一例として「ビジネスホテル」（文字列１）と「温泉旅館」（文字列２）の２行が表示されるものとする。文字列１はカタカナであり、画数及び文字密度が小さい文字列であり、文字列２は漢字であり、画数及び文字密度が大きい文字列である。（ｂ）は全ての文字に対して均等にぼかし処理（ぼかし強度：弱）を行った例であり、従来技術における文字を単純にぼかした場合に相当し、ぼけ方にばらつきが出ることになる。これに対し、（ｃ）は実施の形態１における表示状態を示し、「ビジネスホテル」（文字列１）については、強くぼかし（ぼかし強度：強）、「温泉旅館」（文字列２）に対しては弱くぼかす（ぼかし強度：弱）制御となっている。その結果、ぼけ方に統一性があり、ぼかした文字としての統一感を与えることができる。
【００１８】  以上説明したように、実施の形態１の情報提示装置によれば、文字の属性を判定する文字属性判定部と、文字属性ごとにぼかし強度を定義する可読性制御知識と、対象とする文字に対して、文字の文字属性判定部が判定した文字属性と、可読性制御知識から文字属性ごとのぼかし強度を取得し、対象とする文字の文字属性に対応したぼかし強度でぼかし処理を行う可読性制御部と、可読性制御部によるぼかし処理の文字を表示する表示部とを備えたので、統一感のある高品質な表示を行うことができると共に、操作時の安全性を高めることができる。
【００１９】  また、実施の形態１の情報提示装置によれば、可読性制御知識は、文字の種類、画数および文字密度等のうち少なくとも一つの文字属性に応じたぼかし強度を定義するようにしたので、対象となる文字のおのおのに適したきめ細かいぼかし強度を得ることができる。
【００２０】実施の形態２．  実施の形態２は、実施の形態１のぼかし処理に加えて、さらにぼかし強度に応じたぼかし制御を行う例である。  図１０は、実施の形態２の情報提示装置の構成図である。  実施の形態２の情報提示装置は、文字属性判定部１、文字属性データベース（文字属性ＤＢ）２、可読性制御知識３、可読性制御部４ａ、表示部７、ぼかし処理制御部８、ぼかし処理制御知識９を備えている。ここで、可読性制御部４ａにおけるぼかし処理制御部８と、ぼかし処理制御知識９の構成以外は図１に示した実施の形態１と同様であるため、対応する部分に同一符号を付してその説明を省略する。
【００２１】  可読性制御部４ａにおけるぼかし処理制御部８は、ぼかし強度決定部５が決定したぼかし強度に合わせて、ぼかし処理制御知識９を参照してぼかし処理を行う処理部である。ぼかし処理制御知識９は、ぼかし強度に応じたぼかし制御を行うための制御知識であり、これについては後述する。
【００２２】  次に、実施の形態２における情報提示装置の動作について図１１のフローチャートを用いて説明する。  図１１のフローチャートにおいて、ステップＳＴ１００〜ステップＳＴ１２０、ステップＳＴ１４０の動作は図２のフローチャートに示した実施の形態１と同様である。実施の形態２では、ステップＳＴ１２０においてぼかし強度決定部５がぼかし強度を決定した後、ぼかし処理制御部８がぼかし処理制御知識９を利用してぼかし制御処理を行う（ステップＳＴ２００）。その後、ぼかし処理実行部６はぼかし処理制御部８から出力されたぼかし制御結果に基づくぼかし処理を実行する（ステップＳＴ２１０）。ぼかし処理制御知識９としては、例えば図１２のぼかし処理制御知識９ａに示すように、ぼかし強度に合わせて文字を太字化する（ぼかし強度が大きいほど太い字とする）制御、図１３のぼかし処理制御知識９ｂに示すように、ぼかし強度に合わせてぼかした文字を重ねる回数を変化させる（ぼかし強度が強いほど重ねる回数を多くする）制御、図１４のぼかし処理制御知識９ｃに示すように、ぼかし強度に合わせてぼかした文字をずらしながら重ねる回数を変化させる（ぼかし強度が強いほど重ねる回数を多くする）制御、といったものがある。
【００２３】  ここで、図１２のぼかし処理制御知識９ａでは、・ぼかし強度（強）：文字をより太くしてからぼかす・ぼかし強度（中）：文字を少し太くしてからぼかす・ぼかし強度（弱）：文字を太くしないままぼかすといった制御知識を示している。すなわち、画数の少ない文字、密度の低い文字は、ぼかすと線が細く薄くなってしまう。そこで、文字を太くしてからぼかすことで、強めのぼかしを表現することができる。一方、画数の多い文字、密度の高い文字は、文字を太くしてからぼかすと文字がつぶれてしまう。そこで、文字を太くしないでぼかすことで、弱めのぼかしを表現することができる。  これにより、ぼかし後の文字列の印象が統一される。
【００２４】  また、図１３のぼかし処理制御知識９ｂでは、・ぼかし強度（強）：ぼかした文字を３回重ねて表示・ぼかし強度（中）：ぼかした文字を２回重ねて表示・ぼかし強度（弱）：ぼかした文字をそのまま表示といった制御知識を示している。すなわち、画数の少ない文字、密度の低い文字は、ぼかすと線が細く薄くなってしまう。そこで、ぼかした文字を複数回重ねることで、強めのぼかしを表現することができる。一方、画数の多い文字、密度の高い文字は、ぼかした文字を何度も重ねると文字がつぶれてしまう。そこで、ぼかした文字を重ねないことで、弱めのぼかしを表現することができる。  これにより、ぼかし後の文字列の印象が統一される。
【００２５】  さらに、図１４のぼかし処理制御知識９ｃでは、・ぼかし強度（強）：ぼかした文字を３回ずらしながら重ねて表示・ぼかし強度（中）：ぼかした文字を２回ずらしながら重ねて表示・ぼかし強度（弱）：ぼかした文字をそのまま表示といった制御知識であり、これは、ぼかし処理制御知識９ｂに加えて、さらにずらしながら重ねる制御である。  これにより、ぼかし処理制御知識９ｂと比較して文字の太さも調整することができる。なお、ぼかし処理制御知識９ｃを使ったぼかし制御として、ずらす方向は横方向でも縦方向でも、さらには縦方向及び横方向の両方であってもよい。
【００２６】  図１５は、実施の形態２における具体的な表示例を示す説明図である。  図中、（ａ）に示す表示例は、ぼかし処理制御知識９ａを用いた例であり、文字を太くしてから均一にぼかす制御である。なお、ぼかし無し（通常表示）は、図９（ａ）で示した例と同様の「ビジネスホテル」（文字列１）、「温泉旅館」（文字列２）である。  この場合、「ビジネスホテル」（文字列１）の文字列は、ぼかし強度が「強」であるため太字にしてからぼかす処理を行っている。一方、「温泉旅館」（文字列２）の文字は、ぼかし強度が「弱」であるため、そのままぼかす処理となっている。これにより、「ビジネスホテル」の文字列（文字列１）と「温泉旅館」（文字列２）の文字列のぼかし後の印象が統一され、表示品質を向上させることができる。
【００２７】  また、（ｂ）に示す表示例は、ぼかし処理制御知識９ｂを用いた例であり、ぼかした文字を複数回重ねて表示している。例えば、「ビジネスホテル」（文字列１）の文字列は、ぼかし強度が「強」であるため、ぼかした文字を３回重ねて表示している。一方、「温泉旅館」（文字列２）の文字列は、ぼかし強度が「弱」であるため、ぼかした文字を重ねる回数が１回であり、ぼかした文字をそのまま表示する処理となっている。これにより、「ビジネスホテル」（文字列１）の文字列と「温泉旅館」（文字列２）の文字列のぼかし後の印象が統一され、表示品質を向上させることができる。
【００２８】  図１６は、実施の形態１における文字属性とぼかし強度の関係と、実施の形態２におけるぼかし強度と太字化のレベルとの関係とを示す説明図である。これは、図６の画数とぼかし強度の関係と、図１２のぼかし強度と太字化のレベルとを組み合わせて示している。図１６に示すように、文字属性に応じて太字化のレベルが決定されることになる。また、図１６に示す例だけではなく、図５〜図８に示す文字属性に対応したぼかし強度と、図１２〜図１４に示すぼかし強度に対応したぼかし制御とを任意に組み合わせてぼかし結果を得ることができる。
【００２９】  以上説明したように、実施の形態２の情報提示装置によれば、ぼかし強度に応じたぼかし処理を定義するぼかし処理制御知識を備え、可読性制御部は、ぼかし処理制御知識を用いて、ぼかし強度に対応したぼかし制御処理を行うようにしたので、実施の形態１の効果に加えて、ぼかし文字の表示として統一感を与えることができ、さらに高品質な表示を行うことができる。
【００３０】  実施の形態２は、文字属性に応じたぼかし処理を定義するぼかし処理制御知識を備え、可読性制御部は、ぼかし処理制御知識を用いて、文字属性に対応したぼかし制御処理を行うようにしたので、実施の形態１の効果に加えて、ぼかし文字の表示として統一感を与えることができ、さらに高品質な表示を行うことができる。
【００３１】  なお、以上説明した実施の形態１、２において、ぼかす文字の対象は、画面内のすべての文字でもよい。例えば、ボタンの文字、リストの文字、画面タイトル文字、情報表示の文字など、文字であれば画面内のどの文字も対象とすることができる。  また、シンボル付きのテキストや、アイコン付きのテキストは、シンボルやアイコンはそのまま表示し、文字だけをぼかしても良い。例えば、図１７に示すような、シンボル（ピクトグラム）付きの「駐車場」や「トイレ」といった文字列は文字列部分のみぼかし、ピクトグラム部分についてはそのまま表示する。あるいは、シンボルも含めてぼかす、といった処理を行ってもよい。
【００３２】実施の形態３．  実施の形態３は情報提示装置を車載情報機器として搭載するようにした例である。  図１８は、実施の形態３の情報提示装置を示す構成図である。  実施の形態３の情報提示装置は、文字属性判定部１、文字属性データベース（文字属性ＤＢ）２、可読性制御知識３、可読性制御部４ｂ、表示部７を備えている。ここで、可読性制御部４ｂ内の構成以外は図１に示した実施の形態１と同様であるため、可読性制御部４ｂ以外の構成については説明を省略する。
【００３３】  実施の形態３の可読性制御部４ｂは、可読性制御知識３、ぼかし強度決定部５、ぼかし処理実行部６を備えると共に、車速対応ぼかし制御部１０を備えている。車速対応ぼかし制御部１０は、入力される車速に対応して文字属性判定部１、ぼかし強度決定部５及びぼかし処理実行部６の制御を行う制御部である。すなわち、車両の走行時のみぼかし処理を行い、停止時はぼかし処理を行わないよう、文字属性判定部１、ぼかし強度決定部５、ぼかし処理実行部６を制御する。
【００３４】  次に、実施の形態３における情報提示装置の動作について図１９のフローチャートを用いて説明する。  図１９のフローチャートにおいて、ステップＳＴ１００〜ステップＳＴ１４０の動作は図２のフローチャートに示した実施の形態１と同様である。実施の形態３では、ステップＳＴ１００で文字入力があった場合、可読性制御部４ｂの車速対応ぼかし制御部１０は、入力される車速に従い、車両が走行中であるか否かを判定する（ステップＳＴ３００）。ここで、車両が走行中ではないと判定した場合は、ぼかし処理を行わず、そのまま文字表示を行う（ステップＳＴ３１０）。すなわち、車速対応ぼかし制御部１０は、文字属性判定部１、ぼかし強度決定部５及びぼかし処理実行部６に対して、ぼかし処理を行わずそのまま文字表示を行うよう指示する。一方、ステップＳＴ３００において、走行中であると判定した場合、車速対応ぼかし制御部１０は文字属性判定部１、ぼかし強度決定部５及びぼかし処理実行部６に対してぼかし処理を行うよう指示を出し、ステップＳＴ１１０〜ステップＳＴ１４０の処理を行う。
【００３５】  このように、実施の形態３では、走行中の操作制限が行われているとき、ぼかした文字を表示することで画面デザインを崩すことなく走行操作制限がかかっていることを明示することができる。また、文字がぼけて読むことができないため、必要以上に読むことに注意を向けさせることがなく、安全性を向上させることができる。また、従来の、文字を非表示にしたり、文字のコントラストを下げる、文字を他の記号等に置き換える、といったような構成に比べ、高い表示品質を得ることができる。
【００３６】  また、実施の形態３では、文字としては読めないが、形状と文字数からどのような文字かを認識することが可能であるため、ユーザは、操作を行っている、という実感を得ることができる。すなわち、停車中の操作に慣れているユーザは、ぼけている文字の形状と文字数からどのような文字列であるか、その内容を想像することができる。そして、この想像をたよりに走行中でも操作を行うことができる。すなわち、このような場合は、ユーザが操作に熟知していると考えられるため、操作を行うことによる安全性の著しい低下はほとんど無いと考えられるからである。  一方、操作に不慣れなユーザでは、文字がぼけていて何が表示されているかが判別できないため、操作することを諦めさせることになり、表示画面を注視することで運転操作が疎かになってしまう、といった事態を防止することができる。  このように、本実施の形態の情報提示装置では、ユーザのスキルに合わせた安全な操作方法を提供することができる。
【００３７】  また、表示画面が特にリスト操作に関するものであった場合、ぼけた文字がリストを構成しているため、カーソル操作やリストスクロールなどでも操作感を得ることができる。そして、カーソルが示している項目を音声ガイダンスで読み上げる場合でも、文字列の内容を予測してカーソルを動かすことができるため、文字が非表示のものよりも効率的に素早く目的の項目を選択することができる。
【００３８】  上記例では、車速対応ぼかし制御部１０は、車速に基づいて停止時と走行時の２段階の制御を行ったが、車速に応じてさらに走行時の制御を段階的に行っても良い。例えば、車速対応ぼかし制御部１０は、停止時では、全ての文字を表示するのは上記例と同様であるが、走行時の制御として、車速がある閾値以下の場合（ゆっくり走っている場合）と、閾値を超える場合（通常走行時）とで、ぼかす文字の範囲を変化させる。
【００３９】  図２０は、このような車速対応のぼかし制御を示す説明図である。  図中、（ａ）は停止時の状態を示しており、レストラン名１００、レストランシンボル１０１、詳細情報１０２が全て表示される。（ｂ）は、車速Ａが０＜Ａ≦Ｔ１（Ｔ１は０を超える定数）の場合であり、詳細情報１０２に対しては上記のぼかし処理が行われる。（ｃ）は車速がＴ１を超える場合であり、レストラン名１００と詳細情報１０２がぼかし処理され、レストランシンボル１０１のみが通常表示（ぼかし処理無し）される。  このように構成することにより、車両の走行状態に応じてより適した表示状態とすることができる。
【００４０】  なお、上記例では車載情報提示装置として実施の形態１の情報提示装置を適用した場合を説明したが、実施の形態２の情報提示装置を車載情報提示装置として適用してもよい。この場合は、車速対応ぼかし制御部１０がさらにぼかし処理制御部８を含めて車速に対応したぼかし処理の制御を行う。
【００４１】  以上説明したように、実施の形態３の情報提示装置によれば、可読性制御部は、車両の走行時にのみぼかし処理を行い、停止時はぼかし処理を行わないようにしたので、車載情報提示装置として、安全性の向上と操作性の向上に寄与することができる。
【００４２】  また、実施の形態３の情報提示装置によれば、可読性制御部は、車両の走行速度が大きくなるにつれて、ぼかし処理の対象となる文字を増加させるようにしたので、さらに走行状態に適した表示とすることができる。
【００４３】  なお、上記実施の形態１〜３において、ぼかし文字と音声読み上げを組み合わせてもよい。例えば、あるボタンの文字列をぼかし文字で表示し、このボタンが操作された場合は、ボタンに対応した音声読み上げを行う。これにより、ユーザは、ぼかし文字でそのボタンの機能を推測して（当たりをつけて）操作し、音声読み上げにより、確信を持って決定操作を行うことができる。
【００４４】  また、リモコン操作（ジョイスティックや回転ダイヤル等）の場合、カーソルがボタンやリストを選択したとき、ボタン名称やリスト名称を音声読み上げしてもよい。これにより、音声でボタン名称やリスト名称を確認してから決定操作を行うことができるため、より確実に安心して操作を行うことができる。
【００４５】  さらに、タッチパネル操作の場合、指がボタンに触れたときにボタン名称を音声読み上げしてもよい。これにより、音声でボタン名称を確認してから決定操作（ボタンを指で押圧する等）ができるため、より確実に安心して操作を行うことができる。なお、これは選択と決定が別々に操作できるタッチパネルの場合である。
【００４６】  また、表示画面中、ぼかす文字とぼかさない文字を混在させてもよい。例えば、ボタン名称が固定されているようなボタンは、通常、表示画面中に限られた個数しか存在しないため、全てを表示してもユーザへの運転操作の負担になることは少ない。そこで、ボタン名称が固定されている（ボタンと文字列とが一体になっている）ボタンについてはその文字はぼかさず表示する。一方、スクロールしたり、状況に応じて内容が可変であるようなリストは、特に、行（リスト項目）が何十行にも及ぶ場合、そのスクロール操作等を運転中に行うことは安全性を損なうおそれがある。そこで、「リスト項目」の文字をぼかして表示する。
【００４７】  さらに、情報の優先度に応じて、ぼかさない文字とぼかす文字とを混在させてもよい。例えば、優先度の高い文字は表示し、優先度の低い文字はぼかして表示する。ここで、優先度の値とは、緊急度の違いや重要度の違いである。例えば、次の交差点に関係する緊急性の高い文字はそのまま表示し、それ以外の緊急性の低い文字はぼかすといった制御を行っても良い。
【００４８】  また、上記実施の形態１〜３では、ぼかす文字として日本語（英数字を含む）の例を説明したが、対象となる文字は、日本語だけでなく、中国語、韓国語、英語、仏語、独語、アラビア語といったどのような文字にたいしても適用可能である。すなわち、適用する言語に合わせた文字属性データベース２や可読性制御知識３及びぼかし処理制御知識９の内容とすることでどのような言語に対しても適用することができる。
【００４９】  なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５０】  以上のように、この発明に係る情報提示装置は、文字の属性に応じたぼかし方で文字表示を行うものであり、車両のナビゲーションシステムといった車載装置として用いるのに適している。
【符号の説明】
【００５１】  １  文字属性判定部、２  文字属性データベース、３，３ａ〜３ｄ  可読性制御知識、４，４ａ，４ｂ  可読性制御部、５  ぼかし強度決定部、６  ぼかし処理実行部、７  表示部、８  ぼかし処理制御部、９，９ａ，９ｂ，９ｃ  ぼかし処理制御知識、１０  車速対応ぼかし制御部。
【図１】
2015004725.tif 000003
【図２】
2015004725.tif 000004
【図３】
2015004725.tif 000005
【図４】
2015004725.tif 000006
【図５】
2015004725.tif 000007
【図６】
2015004725.tif 000008
【図７】
2015004725.tif 000009
【図８】
2015004725.tif 000010
【図９】
2015004725.tif 000011
【図１０】
2015004725.tif 000012
【図１１】
2015004725.tif 000013
【図１２】
2015004725.tif 000014
【図１３】
2015004725.tif 000015
【図１４】
2015004725.tif 000016
【図１５】
2015004725.tif 000017
【図１６】
2015004725.tif 000018
【図１７】
2015004725.tif 000019
【図１８】
2015004725.tif 000020
【図１９】
2015004725.tif 000021
【図２０】
2015004725.tif 000022
【手続補正書】
【提出日】平成28年5月6日(2016.5.6)
【手続補正１】
【補正対象書類名】明細書
【補正対象項目名】０００８
【補正方法】変更
【補正の内容】
【０００８】
この発明の情報提示装置は、車両の走行状況に応じて、当該車両内の表示部に表示させる文字にぼかし処理を行うか否かを切り替える可読性制御部を備え、可読性制御部は、文字の属性に応じて、前記文字のぼかし強度を変えるようにしたものである。
【手続補正２】
【補正対象書類名】特許請求の範囲
【補正対象項目名】全文
【補正方法】変更
【補正の内容】
【特許請求の範囲】
【請求項１】
車両の走行状況に応じて、当該車両内の表示部に表示させる文字にぼかし処理を行うか否かを切り替える可読性制御部を備え、
前記可読性制御部は、文字の属性に応じて、前記文字のぼかし強度を変えることを特徴とする情報提示装置。
【請求項２】
車両の走行状況に応じて、車両内に表示する文字にぼかし処理を行うか否かを切り替える情報提示装置において、
文字の属性を判定する文字属性判定部と、
文字属性ごとにぼかし強度を定義する可読性制御知識と、
対象とする文字に対して、当該文字の前記文字属性判定部が判定した文字属性と、前記可読性制御知識から文字属性ごとのぼかし強度を取得し、前記対象とする文字の文字属性に対応したぼかし強度でぼかし処理を行う可読性制御部と、
前記可読性制御部によるぼかし処理の文字を表示する表示部とを備えた情報提示装置。
【請求項３】
前記可読性制御部は、文字の種類、画数および文字密度のうち少なくとも一つの文字属性に応じたぼかし強度でぼかし処理を行うことを特徴とする請求項１または請求項２記載の情報提示装置。
【請求項４】
ぼかし強度または前記文字属性に応じたぼかし処理を定義するぼかし処理制御知識を備え、
前記可読性制御部は、前記ぼかし処理制御知識を用いて、前記ぼかし強度または前記文字属性に対応したぼかし制御処理を行うことを特徴とする請求項１または請求項２記載の情報提示装置。
【請求項５】
前記可読性制御部は、車両の走行時にのみ前記ぼかし処理を行い、停止時は前記ぼかし処理を行わないことを特徴とする請求項１または請求項２記載の情報提示装置。
【請求項６】
前記可読性制御部は、車両の走行速度が大きくなるにつれて、前記ぼかし処理の対象となる文字を増加させることを特徴とする請求項５記載の情報提示装置。
【国際調査報告】
2015004725.tif 000023
2015004725.tif 000024
2015004725.tif 000025
2015004725.tif 000026